(57)【要約】【課題】  家畜等の飼育環境に応じた柔軟な飼育履歴の管理を行うことができる食肉用動物の飼育履歴管理システムを提供することである。【解決手段】  食肉用動物の複数の個体から成る管理単位を複数設け、管理単位ごとの食肉用動物の飼育履歴の入力を受付ける飼育履歴入力手段と、飼育履歴入力手段によって入力された管理単位ごとの飼育履歴を記憶する記憶手段と、記憶手段に記憶してある飼育履歴に基づいて、食肉用動物を出荷する相手先に対してその食肉用動物の飼育履歴を申告する履歴申告書を作成する履歴申告書作成手段と、複数の管理単位のうちのいずれかから別の管理単位に食肉用動物の移動が生じたとき、移動元の管理単位の飼育履歴を移動先の管理単位の飼育履歴に加える飼育履歴更新手段とを備えた。【選択図】  図３
2005304307.tif 000002
【特許請求の範囲】
【請求項１】
食肉用動物の飼育履歴の管理をコンピュータを用いて行う食肉用動物の飼育履歴管理システムにおいて、
前記食肉用動物の複数の個体から成る管理単位を複数設け、前記管理単位ごとの前記食肉用動物の飼育履歴の入力を受付ける飼育履歴入力手段と、前記飼育履歴入力手段によって入力された前記管理単位ごとの飼育履歴を記憶する記憶手段と、前記記憶手段に記憶してある飼育履歴に基づいて、前記食肉用動物を出荷する相手先に対して該食肉用動物の飼育履歴を申告する履歴申告書を作成する履歴申告書作成手段と、前記複数の管理単位のうちのいずれかから別の管理単位に前記食肉用動物の移動が生じたとき、移動元の管理単位の飼育履歴を移動先の管理単位の飼育履歴に加える飼育履歴更新手段とを備えたことを特徴とする食肉用動物の飼育履歴管理システム。
【請求項２】
前記飼育履歴が、少なくとも該食肉用動物の飼育の際に治療のために与えた薬品の情報を含むことを特徴とする請求項１に記載の食肉用動物の飼育履歴管理システム。
【請求項３】
前記飼育履歴が、少なくとも該食肉用動物にうった注射の針が該食肉用動物の体内に残っている可能性の情報を含むことを特徴とする請求項１に記載の食肉用動物の飼育履歴管理システム。
【請求項４】
履歴申告書作成手段が、作成する履歴申告書に、該食肉用動物の飼育の際に与えた飼料の情報を含めることを特徴とする請求項１に記載の食肉用動物の飼育履歴管理システム。
【請求項５】
履歴申告書作成手段が、作成する履歴申告書に、該食肉用動物の飼育の際に予防のために与えた薬品の情報を含めることを特徴とする請求項１に記載の食肉用動物の飼育履歴管理システム。
【請求項６】
食肉用動物の飼育履歴の管理を行うためにコンピュータで動作する食肉用動物の飼育履歴管理プログラムにおいて、
前記コンピュータを、
前記食肉用動物の複数の個体から成る管理単位を複数設け、前記管理単位ごとの前記食肉用動物の飼育履歴の入力を受付ける飼育履歴入力手段、
前記飼育履歴入力手段によって入力された前記管理単位ごとの飼育履歴を記憶する記憶手段、
前記記憶手段に記憶してある飼育履歴に基づいて、前記食肉用動物を出荷する相手先に対して該食肉用動物の飼育履歴を申告する履歴申告書を作成する履歴申告書作成手段、
前記複数の管理単位のうちのいずれかから別の管理単位に前記食肉用動物の移動が生じたとき、移動元の管理単位の飼育履歴を移動先の管理単位の飼育履歴に加える飼育履歴更新手段
として機能させることを特徴とする食肉用動物の飼育履歴管理プログラム。
【発明の詳細な説明】
【技術分野】
【０００１】
本発明は、食肉用動物の飼育履歴管理システムに関し、詳しくは、コンピュータを用いて、食肉用の家畜や養殖魚等の飼育にあたっての飼料や治療等の履歴を記録、管理することができる飼育履歴管理システムに関する。
【背景技術】
【０００２】
従来から、食肉用の豚や牛、鶏等の畜産が盛んに行われている。畜産農家においては、このような畜産動物の成長に応じて飼料の配合を調節したり、予防目的のための医療を施したり、疾病治療を行ったりして、畜産動物の健全な成長を促すようにしている。
【０００３】
たとえば特許文献１に記載の「肉用牛疾病予防飼育方法、及び肉用牛地域一貫生産管理方法」では、子牛が誕生して肉牛として出荷するまでのどの時期にどのような栄養や薬品等を与えればスムーズに牛を育てられるかを、畜産農家に対して自動的に提示することができるシステムを提供している。
【０００４】
また、畜産にあっては対象が生き物であるため、特許文献１に記載の発明のように予め定めたとおりに、栄養や薬品等を与えたとしても期待どおりに育たないことも多く、柔軟性のある飼育管理が望まれる。
【０００５】
これに対して、たとえば特許文献２に記載の「家畜・家禽飼養管理システム」では、家畜や家禽の成長状態をデータとして取得し、それに基づいたフィードバックを行うことができるよう、ニューラルネットワークシミュレーションを用いるようにしている。
【０００６】
このような従来のシステムによれば、家畜等の飼育上、その家畜等に与えた飼料や薬品の管理を行うことができる。
【０００７】
【特許文献１】特開２００３−５２３１３号公報
【特許文献２】特開平７−８１２８号公報
【発明の開示】
【発明が解決しようとする課題】
【０００８】
ところで最近では、食肉の肉質の保証や安全性の確認のため、家畜等に与えた飼料や薬品等がどのようなものであったかを後に知り得るようにすることの重要性が増大し、様々な家畜等において飼育履歴の管理が望まれるようになってきた。
【０００９】
ところが、家畜等の飼育環境は、たとえば家畜等の種類によっても異なり、場合によっては特許文献１や特許文献２に記載された従来のシステムでは必要な情報の管理が十分にできないという問題があった。
【００１０】
たとえば従来のシステムでは、家畜等の個体ごとの管理または変動のない群ごとの管理しか前提にしておらず、その場合の管理しか行うことができなかった。ところが家畜等の飼育の形態は家畜等の種類によっていろいろあり、たとえば豚の飼育においては、１つの豚房（ＰＥＮと呼ばれる）で飼育される複数の豚の中には生育の途中で他のＰＥＮに移出されたり、他のＰＥＮから移入されたりして群内容が途中で変わる形態があり、従来のシステムでは、このような飼育環境の実態に対応した柔軟な管理ができないという問題があった。
【００１１】
本発明は、上記の点にかんがみてなされたもので、家畜等の飼育環境に応じた柔軟な飼育履歴の管理を行うことができる食肉用動物の飼育履歴管理システムを提供することを目的とする。
【課題を解決するための手段】
【００１２】
本発明は、上記の目的を達成するために、食肉用動物の飼育履歴の管理をコンピュータを用いて行う食肉用動物の飼育履歴管理システムにおいて、前記食肉用動物の複数の個体から成る管理単位を複数設け、前記管理単位ごとの前記食肉用動物の飼育履歴の入力を受付ける飼育履歴入力手段と、前記飼育履歴入力手段によって入力された前記管理単位ごとの飼育履歴を記憶する記憶手段と、前記記憶手段に記憶してある飼育履歴に基づいて、前記食肉用動物を出荷する相手先に対して該食肉用動物の飼育履歴を申告する履歴申告書を作成する履歴申告書作成手段と、前記複数の管理単位のうちのいずれかから別の管理単位に前記食肉用動物の移動が生じたとき、移動元の管理単位の飼育履歴を移動先の管理単位の飼育履歴に加える飼育履歴更新手段とを備えたことを特徴とする。
【００１３】
また本発明は、請求項１に記載の発明において、前記飼育履歴が、少なくとも該食肉用動物の飼育の際に治療のために与えた薬品の情報を含むことを特徴とする。
【００１４】
また本発明は、請求項１に記載の発明において、前記飼育履歴が、少なくとも該食肉用動物にうった注射の針が該食肉用動物の体内に残っている可能性の情報を含むことを特徴とする。
【００１５】
また本発明は、請求項１に記載の発明において、履歴申告書作成手段が、作成する履歴申告書に、該食肉用動物の飼育の際に与えた飼料の情報を含めることを特徴とする。
【００１６】
また本発明は、請求項１に記載の発明において、履歴申告書作成手段が、作成する履歴申告書に、該食肉用動物の飼育の際に予防のために与えた薬品の情報を含めることを特徴とする。
【００１７】
また本発明は、食肉用動物の飼育履歴の管理を行うためにコンピュータで動作する食肉用動物の飼育履歴管理プログラムにおいて、前記コンピュータを、前記食肉用動物の複数の個体から成る管理単位を複数設け、前記管理単位ごとの前記食肉用動物の飼育履歴の入力を受付ける飼育履歴入力手段、前記飼育履歴入力手段によって入力された前記管理単位ごとの飼育履歴を記憶する記憶手段、前記記憶手段に記憶してある飼育履歴に基づいて、前記食肉用動物を出荷する相手先に対して該食肉用動物の飼育履歴を申告する履歴申告書を作成する履歴申告書作成手段、前記複数の管理単位のうちのいずれかから別の管理単位に前記食肉用動物の移動が生じたとき、移動元の管理単位の飼育履歴を移動先の管理単位の飼育履歴に加える飼育履歴更新手段として機能させることを特徴とする。
【発明の効果】
【００１８】
本発明によれば、家畜等の飼育環境に応じた柔軟な飼育履歴の管理を行うことができる食肉用動物の飼育履歴管理システムを提供することができる。
【００１９】
すなわち本発明によれば、たとえば豚の飼育の場合、豚房を管理単位として飼育履歴の管理を行う際に、出荷前の飼育途中で、何頭かの豚が、ある豚房から別の豚房に移された場合でも、移動先の豚房にいるすべての豚について飼育履歴の漏れがないように飼育履歴の管理を行うことができ、養豚の実態に即した飼育履歴管理システムを提供することができる。
【発明を実施するための最良の形態】
【００２０】
以下、本発明による実施の形態について図面を参照して説明する。
【００２１】
本実施の形態の飼育履歴管理システムは、食肉用の豚を飼育する養豚農家において利用可能なシステムであって、たとえば複数の農場を有し、各農場において複数の豚舎を有し、また各豚舎において豚を収容する複数の豚房（以下「ＰＥＮ」と呼ぶ）を有するような農家においても利用可能であるし、農場や豚舎の数は１つでもよく、複数のＰＥＮを設けて養豚を行う養豚農家において有用なシステムである。
【００２２】
また、本実施の形態では、食肉用豚の飼育における飼育履歴管理を行う飼育履歴管理システムについて説明するが、本発明はこれに限られるものではなく、後述するように複数のＰＥＮを設けてＰＥＮ間で豚を移動させることがあるのと同様な飼育形態をとり得るすべての生物（動物、鳥類、養殖魚介類等、ここでは「食肉用動物」という）に対する飼育履歴管理システムとして適用可能なものである。
【００２３】
食肉用豚の飼育は複数頭の豚を１つのＰＥＮに収容して行われ、その際に各豚の個体識別が困難であるため、個体ごとに餌や投薬等の管理をすることをせず、ＰＥＮ単位でその管理を行うのが通例になっている。
【００２４】
また、食肉用として豚を出荷する際には体の大きさが所定のサイズになった豚を出荷する必要があるが、豚の成長の早さには個体差があるため、初めにほぼ同じ大きさで同じＰＥＮに収容された豚同志でもその後に体の大きさに違いが生じてきて管理がしにくくなってきてしまう。
【００２５】
そこで養豚農家においては、体の大きさがほぼ同じ豚どうしを同じＰＥＮに収容するように、必要に応じてＰＥＮ間で豚の移動を実施しており、成長の早さに応じて各ＰＥＮ内の豚を管理できるようにしている。本実施の形態の飼育履歴管理システムは、このような飼育の実態に対応することができるようにしたものである。
【００２６】
なお、本実施の形態では、ＰＥＮが食肉用動物の複数の個体から成る管理単位である。
【００２７】
図１は、本発明による飼育履歴管理システムの一実施の形態の構成を示すブロック図である。
【００２８】
図１に示すように、本実施の形態の飼育履歴管理システムは、サーバーコンピュータ１とプリンタ２とパソコン３とパソコン４とをネットワーク５で接続して構成される。
【００２９】
なお、本実施の形態の飼育履歴管理システムは、図１のようなネットワーク構成を採用しているが、本発明はこれに限られるものではなく、飼育履歴管理システムのソフトウェアプログラムを実行するコンピュータ単体で構成されるものであってもよい。
【００３０】
また、本実施の形態の飼育履歴管理システムは、図１のようなネットワーク構成を採用し、飼育履歴管理システムのソフトウェアプログラムは後述のようにパソコン３で動作し、サーバーコンピュータ１やパソコン４は、本システムに関するデータをパソコン３から受信して、パックアップの用途や他者にデータを引き渡す用途として用いているが、本発明はこれに限らない。たとえば、パソコン３はユーザたとえば養豚農家が操作入力する入出力装置としての機能を果たし、飼育履歴管理システムのソフトウェアプログラムはたとえばサーバーコンピュータ１で実行され、ネットワーク５を介してパソコン３とサーバーコンピュータ１との間で必要なデータ授受が行われ、サーバーコンピュータ１にてデータベースの格納が行われるようにしてもよい。
【００３１】
図１において、ネットワーク５は、たとえばイーサネット（登録商標）やトークンリング等のＬＡＮやそのほかインターネットなど、また有線、無線を問わず、また通信プロトコルも問わず、どのようなネットワークでもかまわない。ネットワーク５に接続された各装置のそれぞれには、予めネットワーク上のアドレスが設定されており、各装置はこのアドレスによって識別され、ネットワーク５に接続された他の装置との通信を行う。
【００３２】
プリンタ２は、ネットワーク５に接続された各装置からの指示によって帳票等を印刷可能な装置である。
【００３３】
図２は、図１に示したパソコン３の構成を示すブロック図である。
【００３４】
パソコン３は、図１に示したネットワーク５とのインタフェースであるネットワーク接続手段３４と、パソコン３全体の動作を制御するＣＰＵやＭＰＵなどの制御手段３１と、ユーザがパソコン３に対する操作、指示等を入力したり、パソコン３がユーザに対して様々な情報を表示したり出力する入出力手段１２と、パソコン３の動作に必要なプログラムおよびパラメータ等のほか、飼育履歴管理システムを実現するソフトウェアプログラム（食肉用動物の飼育履歴の管理を行うためにコンピュータで動作する食肉用動物の飼育履歴管理プログラム）や各種データのデータベース等を記憶する記憶手段３３とを有して構成される。入出力手段３２としては、たとえば、入力のためにキーボードやマウス等が用いられ、出力のためにディスプレイ装置等が用いられる。
【００３５】
次に、本実施の形態の動作について説明する。
【００３６】
本実施の形態の飼育履歴管理システムは、記憶手段３３に記憶してある飼育履歴管理システムのソフトウェアプログラムを制御手段３１で実行して実現される。
【００３７】
図３は、図１に示した飼育履歴管理システムの動作のうち、豚の飼育履歴をデータ登録する際の処理である履歴登録処理のフローチャートを示す図である。
【００３８】
本実施の形態の飼育履歴管理システムを起動すると、パソコン３の制御手段３１は入出力手段３２に図４に示す画面を表示するよう制御する。
【００３９】
図４は、パソコン３の入出力手段３２に表示するメニュー画面の一例を示す図である。
【００４０】
このメニュー画面には、図４に示すように、「日次作業登録処理」選択ボタン４１、「針・器具在庫管理処理」選択ボタン４２、「日次明細出力処理」選択ボタン４３、「履歴申告出力処理」選択ボタン４４、「データ転送処理」選択ボタン４５、「基礎項目登録処理」選択ボタン４６および終了ボタン４７が設けられている。
【００４１】
「日次作業登録処理」選択ボタン４１は、豚の飼育に関する各作業すなわち日次作業の実施について入力、登録する操作画面に移行するためのボタンであり、「針・器具在庫管理処理」選択ボタン４２は、豚の飼育において使用する注射用の針や各種器具の在庫管理を行う操作画面に移行するためのボタンであり、「日次明細出力処理」選択ボタン４３は、日次作業の種類ごとに実施した履歴を出力する操作画面に移行するためのボタンであり、「履歴申告出力処理」選択ボタン４４は、履歴申告書を作成する操作画面に移行するためのボタンであり、「データ転送処理」選択ボタン４５は、たとえばネットワーク５を介して本飼育履歴管理システムに蓄積してあるデータを外部に転送する操作画面に移行するためのボタンであり、「基礎項目登録処理」選択ボタン４６は、本飼育履歴管理システムによる管理の基礎となる基礎項目を入力する操作画面に移行するためのボタンであり、終了ボタン４７は現在の画面から前画面に移行するためのボタンであってこのメニュー画面においては本飼育履歴管理システムを終了するためのボタンである。
【００４２】
ユーザは、本実施の形態の飼育履歴管理システムを利用するにあたって、まず、基礎項目の入力を行う（Ａ−１）。
【００４３】
この基礎項目の入力のために、ユーザは、図４の操作画面において「基礎項目登録処理」選択ボタン４６を選択する。この選択は、たとえば入出力手段３２のマウスによってマウスカーソルを「基礎項目登録処理」選択ボタン４６に移動させてマウスクリックすることによって実現される。この選択操作は以降において同様である。
【００４４】
図５は、図４のメニュー画面にて「基礎項目登録処理」選択ボタン４６が選択されたときに入出力手段３２に表示する操作画面の一例を示す図である。
【００４５】
この操作画面には、図５に示すように、複数種類の基礎項目のうちのどの内容について入力、登録するのかを選択するための選択タブ４８と、終了ボタン４７が設けられている。選択タブ４８にてどの項目が選択されている場合であっても終了ボタン４７が選択されたならば、図４のメニュー画面へと入出力手段３２の表示内容は移行する。
【００４６】
図５の操作画面は、選択タブ４８のうちの「取引先」の部分が選択された状態であり、養豚農家が豚を出荷する取引先を予め登録、表示する操作画面である。
【００４７】
選択タブ４８のうちの「作業」の部分が選択されると、養豚農家が豚の飼育にあたって行う日次作業の種類を予め登録、表示する操作画面が表示される。ところで、日次作業の種類は、養豚農家ごとに異なるようなものではないので、本飼育履歴管理システムを作成する際に予め登録しておき、養豚農家すなわちユーザはこれを変更することができないようにしておくのが望ましい。日次作業の種類の例については後に図１２に示すので、ここでは、この操作画面の図示を省略する。
【００４８】
次に、選択タブ４８のうちの「死亡理由」の部分が選択されると、飼育の途中に死亡してしまった豚の死亡理由の種類を予め登録する操作画面が表示される。この操作画面の一例を図６に示す。
【００４９】
次に、選択タブ４８のうちの「薬品」の部分が選択されると、ユーザが豚に対して使用する薬品の種類を予め登録する操作画面が表示される。この操作画面の一例を図７に示す。
【００５０】
次に、選択タブ４８のうちの「飼料」の部分が選択されると、ユーザが豚に対して与える飼料の種類を予め登録する操作画面が表示される。この操作画面の一例を図８に示す。
【００５１】
なお、本実施の形態では、豚に与える飼料を、豚の成長のステージごとに予め決めておき、それを図８の操作画面にて登録しておくようにしている。ところでステージとは豚の生後の経過日数（以下「日令」という）や豚の体の大きさに応じて、予め定めたものであり、本実施の形態では、図８に示すように、豚が最も小さい「育成」ステージ、「育成」ステージの次である「子豚」ステージ、「子豚」ステージの次である「肉豚」ステージ、食肉用の豚とは予め区別した種豚のための「種豚」ステージとに、ステージ分けし、それぞれのステージに応じた飼料を登録できるようにしている。
【００５２】
次に、選択タブ４８のうちの「ワクチン」の部分が選択されると、ユーザが豚に対して与える予防薬の種類を予め登録する操作画面が表示される。この操作画面の一例を図９に示す。
【００５３】
なお、本実施の形態では、豚に与える薬品を、豚に与える時期や、その使用目的および用法（経口投与か注射投与か）の情報とともに、予め決めておき、それを図９の操作画面にて登録しておくようにしている。
【００５４】
次に、選択タブ４８のうちの「申告者」の部分が選択されると、ユーザ自身の情報について予め登録する操作画面が表示される。この操作画面の一例を図１０に示す。
【００５５】
次に、選択タブ４８のうちの「器具・針」の部分が選択されると、ユーザが使用する注射用の針や各種器具の種類について予め登録する操作画面が表示される。この操作画面の一例を図１１に示す。
【００５６】
以上説明した基礎項目の入力が完了したならば、ユーザは終了ボタン４７を選択する。これを受けた制御手段３１では、入力された基礎項目の各情報を記憶手段３３に記憶、登録（Ａ−２）するとともに、入出力手段３２の表示内容を図４のメニュー画面に切り替える。
【００５７】
ユーザは、基礎項目を一旦登録したならば、基礎項目の変更がない限り、その後は日次作業の入力のみを行えばよい。図３のステップ（Ａ−３）以降では、この日次作業の入力について説明する。
【００５８】
この日次作業の入力のために、ユーザは、図４の操作画面において「日次作業登録処理」選択ボタン４１を選択する。
【００５９】
図１２は、図４のメニュー画面にて「日次作業登録処理」選択ボタン４１が選択されたときに入出力手段３２に表示する操作画面の一例を示す図である。
【００６０】
この操作画面には、図１２に示すように、豚舎選択欄５０と、ＰＥＮ情報表示欄５１と、作業入力欄５２と、作業名表示欄５３とが設けられている。
【００６１】
豚舎選択欄５０にユーザが農場の指定または豚舎の指定を入力すると、制御手段３１はそれを受け、ＰＥＮ情報表示欄５１に情報表示するＰＥＮを、指定された農場または豚舎に属するものだけになるように絞り込む。
【００６２】
ＰＥＮ情報表示欄５１には、各ＰＥＮについてのおおよその情報が表示され、たとえば、そのＰＥＮに収容されている豚の頭数を示す「残頭」や、そのＰＥＮの豚がそのＰＥＮに収容されている日数を示す「在舎日数」などの情報が表示される。
【００６３】
また作業入力欄５２には、豚に対して施した日次作業であって本飼育履歴管理システムに履歴登録しようとする作業内容やその作業を実施した日を入力する欄が設けられている。この作業入力欄５２に入力する作業内容は、作業名表示欄５３に表示された作業名の一覧から選択することができる。
【００６４】
作業の種類としては、図１２に示すように、ＰＥＮに誕生直後の豚を収容したときの「初期頭数」や、病気等の治療のために豚に注射をうったときの「注射薬」や、病気等の治療のためにたとえば経口にて薬品を与えたときの「薬品添加」や、豚に注射をうったときに豚の体内に注射針が残ってしまったおそれのあるときの「注射針残」や、豚が死亡したときの「死亡」や、豚を出荷したときの「出荷」や、豚を他のＰＥＮから移動させてきたときの「移動−入」や、豚を他のＰＥＮに移動させたときの「移動−出」や、様々な理由（他の作業内容に存在する理由の場合を除く）でそのＰＥＮ内の豚の頭数が変化したときの「調整」が挙げられる。
【００６５】
本実施の形態の飼育履歴管理システムでは、豚を１頭ごとに管理するのでは困難であるし、その必要もなく、ＰＥＮ単位での管理で十分であるという現状に対応し、豚のＰＥＮ単位での作業履歴管理を実現したものであり、制御手段３１は、このＰＥＮ単位での作業の履歴を飼育履歴として記憶手段３３に記憶しておく。記憶形式は特に問わず、たとえば既知のデータベースを利用したり、表形式で記憶してもよい。
【００６６】
すなわち、図１２の操作画面では、ユーザによって、作業名とともにその作業を施したＰＥＮが指定される。制御手段３１ではそれを受け、入出力手段３２によって、指定された作業ごとの必要な詳細情報の入力をユーザに対して求め、入力された内容を飼育履歴として記憶手段３３に記憶する。
【００６７】
これが、管理単位ごとの食肉用動物の飼育履歴の入力を受付ける飼育履歴入力手段、飼育履歴入力手段によって入力された管理単位ごとの飼育履歴を記憶する記憶手段である。
【００６８】
ところで、図１２の操作画面では、作業名として「注射薬」や「薬品添加」を選択可能としているが、日次作業として入力する、この「注射薬」や「薬品添加」は豚が病気等にかかった場合の治療として行われるものであり、予防医療として行うものはここでは含まない。
【００６９】
予防医療の注射や薬品添加は、図９に示した基礎項目「ワクチン」の操作画面にて登録した時期に実施したものとする。図９に登録してあっても実施しなかった場合や、豚の出荷先に対して申告の必要がないものは、後に説明する申告書作成の際に、その実施しなかったものを申告書に記載しないようにすることができる。
【００７０】
また、本実施の形態においては、作業名「移動−入」と「移動−出」とは対になっており、「移動−入」として他のＰＥＮから豚が移動してきたときはその移動元のＰＥＮにおいて「移動−出」が発生していることから、両方のＰＥＮについてユーザが入力する手間を省くため、作業名「移動−入」をユーザが入力すれば、「移動−出」側のＰＥＮの履歴は制御手段３１が「移動−入」の入力内容に応じて作成し、「移動−出」についても飼育履歴として記憶手段３３に記憶しておく。
【００７１】
したがって、図１２の操作画面において作業名「移動−出」をユーザが選択したとしても、制御手段３１によって「移動−出」の履歴が表示されるのみで、「移動−出」の日次作業としての入力は不可としている。
【００７２】
さて、図１２の操作画面にて作業名の入力がされたならば、制御手段３１は入力された作業が家畜すなわち豚の移動に関するもの（ここでは「移動−入」）であるかどうかを判断する（Ａ−４）。
【００７３】
入力された作業名が「移動−入」ではない場合には、入力された作業名に対応して予め定めた、作業ごとに必要な詳細情報の入力をユーザに対して求め、入力された内容を飼育履歴として記憶手段３３に記憶する（Ａ−５）。
【００７４】
ステップ（Ａ−４）において、入力された作業名が「移動−入」の場合には、「移動−入」について必要な詳細情報の入力をユーザに対して求める操作画面を入出力手段３２に表示する。
【００７５】
図１３は、図１２の操作画面で「移動−入」が選択された場合に遷移する操作画面の一例を示す図である。
【００７６】
図１３の操作画面は、図１２の操作画面にて、作業名「移動−入」が選択され、その作業を登録するＰＥＮとして農Ｎｏが１番の農場の中の５番の豚舎の中の４番のＰＥＮが選択された場合の画面を示している。
【００７７】
この操作画面には、図１３に示すように、選択されたＰＥＮ（豚の移動先のＰＥＮ）の状態を示す選択ＰＥＮ情報表示欄５５と、移動させてくる豚の頭数や移動元のＰＥＮを特定する情報等を入力する移動情報入力欄５６と、前の操作画面に戻るための戻るボタン５７とが設けられている。
【００７８】
ユーザが、図１３の操作画面の移動情報入力欄５６に、そのＰＥＮに豚を移動させてきた日（図１３では「入力日」と記載している）や、そのＰＥＮに移動させてくる豚の頭数（図１３では「入頭」と記載している）や、移動元のＰＥＮを特定する情報（図１３では「農」、「舎」、「ＰＥＮ」と記載している）等を入力し、戻るボタン５７をマウスクリック等によって選択すると、制御手段３１は入力された情報を、選択ＰＥＮ情報表示欄５５に表示されたＰＥＮの飼育履歴として記憶手段３３に記憶する（Ａ−６）。
【００７９】
またこのとき、前述したように、「移動−出」側である移動情報入力欄５６に入力された移動元のＰＥＮの飼育履歴としても記憶手段３３に記憶する（Ａ−６）。
【００８０】
ところで、本実施の形態の飼育履歴管理システムでは、上述したようにＰＥＮごとに飼育履歴を管理するようにしている。このため、この作業名「移動−入」のように、あるＰＥＮから別のＰＥＮに豚を移動させた場合には、記憶手段３３に記憶してある飼育履歴を調整する必要がある。
【００８１】
そこで本実施の形態では、この状況に対応し、制御手段３１は、豚を移動させた場合には移動元のＰＥＮの飼育履歴を移動先のＰＥＮの飼育履歴に加え、移動先のＰＥＮでは、元々の自身の飼育履歴と移動元のＰＥＮの飼育履歴とを合わせ、これを新たな自身の飼育履歴として、記憶手段３３に記憶する（Ａ−７）。
【００８２】
これが、複数の管理単位のうちのいずれかから別の管理単位に食肉用動物の移動が生じたとき、移動元の管理単位の飼育履歴を移動先の管理単位の飼育履歴に加える飼育履歴更新手段である。
【００８３】
このようにすることによって、移動先のＰＥＮに収容された豚すべての飼育履歴をもらすことなく、記憶、管理することができる。
【００８４】
日次作業に応じた飼育履歴の更新が以上のようにして完了したならば、図３のステップ（Ａ−８）では、ユーザからさらなる日次作業の入力の要求があった場合すなわち図４のメニュー画面の「日次作業登録処理」選択ボタン４１が選択された場合には、それに応じて処理を継続し、作業が終了すなわち図４のメニュー画面の終了ボタン４７が選択された場合には、飼育履歴管理システムを終了する。
【００８５】
次に、本実施の形態の飼育履歴管理システムにおいて、豚を出荷する際に、出荷先の相手に対して提出する、出荷する豚の飼育履歴を申告する履歴申告書を作成する処理について説明する。
【００８６】
図１４は、図１に示した飼育履歴管理システムの動作のうち、出荷する豚の飼育履歴を申告する履歴申告書作成処理のフローチャートを示す図である。
【００８７】
前述と同様に本実施の形態の飼育履歴管理システムを起動すると、パソコン３の制御手段３１は入出力手段３２に図４のメニュー画面を表示する。
【００８８】
本実施の形態では、履歴申告書を作成する際には、その出荷の対象の豚のＰＥＮについて、図１２の操作画面にてすでに作業名「出荷」の飼育履歴を入力し、記憶手段３３に登録済みであるとする。
【００８９】
このメニュー画面において、ユーザが「履歴申告出力処理」選択ボタン４４を選択すると、入出力手段３２の操作画面は図１５に示すように遷移する。
【００９０】
図１５は、図４のメニュー画面で「履歴申告出力処理」選択ボタン４４が選択された場合に遷移する操作画面の一例を示す図である。
【００９１】
この操作画面には、図１５に示すように、飼料名表示欄６０、予防用薬品表示欄６１、検索条件入力欄６２、検索実行ボタン６３、検索結果表示欄６４、選択出荷日表示欄６５、ＰＥＮ内訳表示欄６６、出荷日単位履歴作成実行ボタン６７、出力種別選択欄６８、選択ＰＥＮ表示欄６９およびＰＥＮ単位履歴作成実行ボタン７０が設けられている。
【００９２】
飼料名表示欄６０には、図８の基礎項目登録画面で登録した飼料が表示される。飼料名表示欄６０において、「出？」欄は、履歴申告書作成の際にその飼料の使用について出力するか否かを選択可能とするためのものであり、ユーザが「出？」欄をチェックして「出」とした場合には履歴申告書にその飼料を記載するように制御手段３１が制御し、そうでない場合には履歴申告書にその飼料を記載しないように制御手段３１が制御する。
【００９３】
予防用薬品表示欄６１には、図９の基礎項目登録画面で登録した予防用薬品が表示される。予防用薬品表示欄６１も飼料名表示欄６０と同様に、「出？」欄は、履歴申告書作成の際にその薬品の使用について出力するか否かを選択可能とするためのものであり、ユーザが「出？」欄をチェックして「出」とした場合には履歴申告書にその薬品を記載するように制御手段３１が制御し、そうでない場合には履歴申告書にその薬品を記載しないように制御手段３１が制御する。
【００９４】
検索条件入力欄６２は、履歴申告書を作成する対象の出荷を、記憶手段３３に記憶してある各ＰＥＮの飼育履歴から検索する条件をユーザが入力する欄である。本実施の形態では、図１５に示すように、検索条件入力欄６２にて入力できる条件としては、農場Ｎｏ．、豚舎Ｎｏ．出荷の日付けおよび出荷先を指定することができるようにしている。
【００９５】
また、検索条件入力欄６２において「治療日令」とあるのは、履歴申告書に豚の治療履歴の申告を記載する際、誕生後それほど日にちが経過していない場合の治療については申告を必要としない場合があるので、この欄に豚の日令を指定すれば、履歴申告書を作成する際にその指定された日令以降に施された治療のみを履歴申告書に記載するように制御手段３１が制御する。
【００９６】
検索条件入力欄６２への入力が済んだならば、ユーザは検索実行ボタン６３をマウスクリック等によって選択する。
【００９７】
これを受けた制御手段３１では、検索条件入力欄６２にて指定された条件に合致する飼育履歴のデータを記憶手段３３から読出し、それを検索結果表示欄６４に表示する。
【００９８】
ユーザは検索結果表示欄６４に表示された内容の中から、履歴申告書を作成したい出荷日のデータをマウスクリック等によって選択する。ここで選択されたデータは、選択出荷日表示欄６５に表示される。図１５では検索結果表示欄６４に表示された内容の中から出荷日が２００４年３月１日のデータを選択した場合を示している。
【００９９】
また、ユーザが検索結果表示欄６４に表示された内容の中から、履歴申告書を作成したい出荷日のデータを選択すると、選択出荷日表示欄６５の表示とともに、その出荷日のデータのＰＥＮごとの内訳がＰＥＮ内訳表示欄６６に表示される。図１５では、２００４年３月１日の１１頭の出荷の内訳が７番のＰＥＮから６頭、１２番のＰＥＮから５頭の出荷であることを示している。
【０１００】
ユーザはＰＥＮ内訳表示欄６６に表示された内容の中から、履歴申告書を作成したいＰＥＮのデータをマウスクリック等によって選択する。ここで選択されたデータは、選択ＰＥＮ表示欄６９に表示される。図１５ではＰＥＮ内訳表示欄６６に表示された内容の中から７番のＰＥＮのデータを選択した場合を示している。
【０１０１】
なお、出力種別選択欄６８は履歴申告書の出力先を指定するものであり、本実施の形態では、履歴申告書を画面にてプレビュー出力するものとプリンタ２から印刷出力するものとを選択可能としている。この履歴申告書の出力先としては、このほか、ファイル（テキストファイル、イメージファイル、ＰＤＦファイル、ワープロ用ファイルなど形式は問わない）として出力して記憶手段３３に記憶したり、ネットワーク接続手段３４によって外部にファイル転送するようにしてもよい。
【０１０２】
この履歴申告書のファイルを外部（たとえば出荷先）に転送する場合は、ファイルを一旦記憶手段３３に記憶しておき、図４のメニュー画面の「データ転送処理」選択ボタン４５をユーザが選択すると、転送するファイルの指定や転送先の指定等をした後にデータ転送されるようにしてもよい。またこの場合、図５の基礎項目登録画面にて各出荷先の送信先アドレス（たとえば電話番号、ＩＰアドレス、ＭＡＣアドレス、電子メールアドレス等）を登録できるようにし、ファイル転送時にはこれを利用できるようにするのが望ましい。
【０１０３】
以上のようにして履歴申告書の条件の入力が完了（図１４のステップ（Ｂ−１））したならば、ユーザは出荷日単位履歴作成実行ボタン６７またはＰＥＮ単位履歴作成実行ボタン７０を選択し、履歴申告書の作成実行を指示する。
【０１０４】
出荷日単位履歴作成実行ボタン６７は、選択出荷日表示欄６５にデータが表示された状態になると、ユーザが選択可となるよう制御手段３１によって制御される。この出荷日単位履歴作成実行ボタン６７をユーザが選択すると、制御手段３３は、選択出荷日表示欄６５に表示されている日付けのすべての出荷についての履歴申告書を作成、出力する。
【０１０５】
一方、ＰＥＮ単位履歴作成実行ボタン７０は、選択ＰＥＮ表示欄６９にデータが表示された状態になると、ユーザが選択可となるよう制御手段３１によって制御される。このＰＥＮ単位履歴作成実行ボタン７０をユーザが選択すると、制御手段３３は、選択出荷日表示欄６５に表示されている日付けのうち選択ＰＥＮ表示欄６９に表示されているＰＥＮの出荷についての履歴申告書を作成、出力する。
【０１０６】
出荷日単位履歴作成実行ボタン６７またはＰＥＮ単位履歴作成実行ボタン７０の選択を受けた制御手段３１は、入力された条件に基づいて記憶手段３３から飼育履歴を記憶してあるデータベースを読出し（Ｂ−２）、そのデータで予め定めた形式の履歴申告書を作成する（Ｂ−３）。
【０１０７】
これが、記憶手段に記憶してある飼育履歴に基づいて、食肉用動物を出荷する相手先に対してその食肉用動物の飼育履歴を申告する履歴申告書を作成する履歴申告書作成手段である。
【０１０８】
図１６は、本実施の形態の飼育履歴管理システムで生成、出力する履歴申告書の形式の一例を示す図である。
【０１０９】
履歴申告書７５は、図１５の操作画面にて選択された各条件が反映され、予め定めた形式で、図１６に示すように作成される。この履歴申告書７５の形式は、予め定め、たとえば記憶手段３３に記憶しておき、制御手段３１が履歴申告書７５を作成する際に、その形式を記憶手段３３から読み出してくるようにすればよい。この履歴申告書の形式は複数種類を用意して記憶手段３３に記憶し、たとえば豚の出荷先に対応させるなど、ユーザが任意に選択できるようにしてもよい。
【０１１０】
また、図１６の履歴申告書７５では、申告者の欄と農家情報の欄に記載する内容を、図１０の申告者を登録する画面で登録した内容に基づいて生成するようにしているが、本発明はこれに限られるものではなく、申告者と農家情報とを別々に入力できるようにしてもよいし、たとえば図５の取引先を登録する画面において農家情報も登録するようにしてもよい。
【０１１１】
ステップ（Ｂ−３）において履歴申告書の生成が完了したならば、制御手段３１は、その履歴申告書を前述のように出力種別選択欄６８で指定された方法で出力する（Ｂ−４）。
【図面の簡単な説明】
【０１１２】
【図１】本発明による飼育履歴管理システムの一実施の形態の構成を示すブロック図である。
【図２】図１に示したパソコン３の構成を示すブロック図である。
【図３】図１に示した飼育履歴管理システムの動作のうち、豚の飼育履歴をデータ登録する際の処理である履歴登録処理のフローチャートを示す図である。
【図４】パソコン３の入出力手段３２に表示するメニュー画面の一例を示す図である。
【図５】図４のメニュー画面にて「基礎項目登録処理」選択ボタン４６が選択されたときに入出力手段３２に表示する操作画面の一例を示す図である。
【図６】選択タブ４８のうちの「死亡理由」の部分が選択されたときに表示する画面の一例を示す図である。
【図７】選択タブ４８のうちの「薬品」の部分が選択されたときに表示する画面の一例を示す図である。
【図８】選択タブ４８のうちの「飼料」の部分が選択されたときに表示する画面の一例を示す図である。
【図９】選択タブ４８のうちの「ワクチン」の部分が選択されたときに表示する画面の一例を示す図である。
【図１０】選択タブ４８のうちの「申告者」の部分が選択されたときに表示する画面の一例を示す図である。
【図１１】選択タブ４８のうちの「器具・針」の部分が選択されたときに表示する画面の一例を示す図である。
【図１２】図４のメニュー画面にて「日次作業登録処理」選択ボタン４１が選択されたときに入出力手段３２に表示する操作画面の一例を示す図である。
【図１３】図１２の操作画面で「移動−入」が選択された場合に遷移する操作画面の一例を示す図である。
【図１４】図１に示した飼育履歴管理システムの動作のうち、出荷する豚の飼育履歴を申告する履歴申告書作成処理のフローチャートを示す図である。
【図１５】図４のメニュー画面で「履歴申告出力処理」選択ボタン４４が選択された場合に遷移する操作画面の一例を示す図である。
【図１６】本実施の形態の飼育履歴管理システムで生成、出力する履歴申告書の形式の一例を示す図である。
【符号の説明】
【０１１３】
１  サーバーコンピュータ
２  プリンタ
３  パソコン
４  パソコン
５  ネットワーク
３１  制御手段
３２  入出力手段
３３  記憶手段
３４  ネットワーク接続手段
４１  「日次作業登録処理」選択ボタン
４２  「針・器具在庫管理処理」選択ボタン
４３  「日次明細出力処理」選択ボタン
４４  「履歴申告出力処理」選択ボタン
４５  「データ転送処理」選択ボタン
４６  「基礎項目登録処理」選択ボタン
４７  終了ボタン
４８  選択タブ
５０  豚舎選択欄
５１  ＰＥＮ情報表示欄
５２  作業入力欄
５３  作業名表示欄
５５  選択ＰＥＮ情報表示欄
５６  移動情報入力欄
５７  戻るボタン
６０  飼料名表示欄
６１  予防用薬品表示欄
６２  検索条件入力欄
６３  検索実行ボタン
６４  検索結果表示欄
６５  選択出荷日表示欄
６６  ＰＥＮ内訳表示欄
６７  出荷日単位履歴作成実行ボタン
６８  出力種別選択欄
６９  選択ＰＥＮ表示欄
７０  ＰＥＮ単位履歴作成実行ボタン
７５  履歴申告書
【図１】
2005304307.tif 000003
【図２】
2005304307.tif 000004
【図３】
2005304307.tif 000005
【図４】
2005304307.tif 000006
【図５】
2005304307.tif 000007
【図６】
2005304307.tif 000008
【図７】
2005304307.tif 000009
【図８】
2005304307.tif 000010
【図９】
2005304307.tif 000011
【図１０】
2005304307.tif 000012
【図１１】
2005304307.tif 000013
【図１２】
2005304307.tif 000014
【図１３】
2005304307.tif 000015
【図１４】
2005304307.tif 000016
【図１５】
2005304307.tif 000017
【図１６】
2005304307.tif 000018